(57)【要約】【課題】マークの構造が簡素であり、作製プロセスが容易となるマーク付きリムとその作製プロセスを提供する。【解決手段】外面を備えるリム本体と、外面に嵌め設けられており、リム本体に隣接する外周縁を備え、外周縁は外面から突出しないマークと、を備える。【選択図】図３
2020026246.tif 000002
【特許請求の範囲】
【請求項１】
外面を備えるリム本体と、
前記外面に嵌め設けられており、前記リム本体に隣接する外周縁を備え、前記外周縁は前記外面から突出しないマークと、を備えることを特徴とする、
マーク付きリム。
【請求項２】
前記リム本体は、多数の繊維と、前記多数の繊維を結合する結合材と、を備え、前記結合材は、前記多数の繊維を覆い、前記外面を有することを特徴とする、請求項１に記載のマーク付きリム。
【請求項３】
前記外周縁と前記外面とは、高さが同じであり、互いに隣接することを特徴とする、請求項１に記載のマーク付きリム。
【請求項４】
前記マークの全面と前記外面とは、高さが同じであり、互いに隣接することを特徴とする、請求項１に記載のマーク付きリム。
【請求項５】
前記マークは前記外面から露出することを特徴とする、請求項１に記載のマーク付きリム。
【請求項６】
前記外面と前記マークとの色は互いに異なることを特徴とする、請求項１に記載のマーク付きリム。
【請求項７】
請求項１から６の何れかの１項に記載のマーク付きリムに適用され、
型内面を備える金型を用意するステップと、
前記マークが前記リム本体の外面と前記型内面との間に位置するように、前記リム本体と前記マークとを前記金型に入れるステップと、
前記マークと前記リム本体を結合するステップと、を含むことを特徴とする、
作製プロセス。
【請求項８】
前記マークは、前記リム本体または前記型内面に貼り付けられていることを特徴とする、請求項７に記載の作製プロセス。
【請求項９】
前記マークの外周縁は、前記型内面に連続的に貼り付けられていることを特徴とする、請求項７に記載の作製プロセス。
【請求項１０】
加熱により、前記マークと前記リム本体を結合することを特徴とする、請求項７に記載の作製プロセス。
【発明の詳細な説明】
【技術分野】
【０００１】
本発明は、マーク付きリムとその作製プロセスに関するものである。
【背景技術】
【０００２】
従来の自転車のリムとフレームとのマーク又は飾りは、フレーム又はリムを作製した後、水転写方式により、自転車のリム又はフレームに付けられる。マーク又は飾りを付けようとするときには、ステッカーを、水に浸入して軟化した後、目標とする位置に貼り付けて、当該位置にある空気及び余分の水を除去して、ステッカーの表面にある水分及び残留接着剤を除去して、最後に、低温で当該位置を加熱することにより完全に乾燥する。
しかし、このような作製プロセスは、複雑で工数がかなり掛かり、マークがリムの表面から突出する欠点があった。
【発明の概要】
【発明が解決しようとする課題】
【０００３】
本発明の主な目的は、マークの構造が簡素であり、作製プロセスが容易となるマーク付きリムとその作製プロセスを提供することにある。  
【課題を解決するための手段】
【０００４】
本発明のマーク付きリムは、外面を備えるリム本体と、外面に嵌め設けられており、リム本体に隣接する外周縁を備え、外周縁は外面から突出しないマークと、を備えることを特徴とする。
【０００５】
本発明のマーク付きリムは、リム本体は、多数の繊維と、多数の繊維を結合する結合材と、を備え、結合材は、多数の繊維を覆い、外面を有することを特徴とする。
【０００６】
本発明のマーク付きリムは、外周縁と外面とは、高さが同じであり、互いに隣接することを特徴とする。
【０００７】
本発明のマーク付きリムは、マークの全面と外面とは、高さが同じであり、互いに隣接することを特徴とする。
【０００８】
本発明のマーク付きリムは、マークは外面から露出することを特徴とする。
【０００９】
本発明のマーク付きリムは、外面とマークとの色は互いに異なることを特徴とする。
【００１０】
本発明の作製プロセスは、請求項１から６の何れかの１項に記載のマーク付きリムに適用され、型内面を備える金型を用意するステップと、マークがリム本体の外面と型内面との間に位置するように、リム本体とマークとを金型に入れるステップと、マークとリム本体を結合するステップと、を含むことを特徴とする。
【００１１】
本発明の作製プロセスは、マークは、リム本体または型内面に貼り付けられていることを特徴とする。
【００１２】
本発明の作製プロセスは、マークの外周縁は、型内面に連続的に貼り付けられていることを特徴とする。
【００１３】
本発明の作製プロセスは、加熱により、マークとリム本体を結合することを特徴とする。
【発明の効果】
【００１４】
本発明のマーク付きリムとその作製プロセスには、マークの構造が簡素であり、作製プロセスが容易となるという効果を有する。
【図面の簡単な説明】
【００１５】
【図１】本発明の実施の形態に係るマーク付きリムの作製方法を示す斜視図である。
【図２】本発明の実施の形態に係るリムを示す斜視図である。
【図３】本発明の実施の形態に係るマーク付きリムの作製方法を示す分解斜視図である。
【図４】図１の断面図である。
【図５】図４の一部を示す拡大図である。
【図６】図５の一部を示す拡大図である。
【発明を実施するための形態】
【００１６】
以下、本発明の実施の形態を図面に基づいて説明する。
【００１７】
図１から図６を参照する。本発明の実施の形態に係るマーク付きリム１は、リム本体１０と、マーク２０と、を備える。
【００１８】
リム本体１０は外面１１を備える。マーク２０は、外面１１に嵌め設けられており、リム本体１０に隣接する外周縁２１を備える。外周縁２１は外面１１から突出しないため、リム１は、平坦であり、見栄えが良く、マーク２０は、外力を受けにくく、変形せず、脱落しない。
【００１９】
リム本体１０は、多数の繊維１２と、多数の繊維１２を結合する結合材１３と、を備える。結合材１３は、多数の繊維１２を覆い、外面１１を有する。多数の繊維１２は、例えば炭素繊維、ガラス繊維、又はクロビラ繊維などを採用する。
結合材１３は、例えば樹脂を採用し、加熱して固化することにより、多数の繊維１２を硬化することが可能である。しかし、リム本体は、単一の材料で構成してもいいし、その他の複合材で構成してもいいし、一体に成形されてもよい。
【００２０】
外周縁２１と外面１１とは、高さが同じであり、互いに隣接する。これにより、マーク２０が引かれて変形し、又は脱落することを回避することが可能である。本実施の形態では、マーク２０の全面と外面１１とは、高さが同じであり、互いに隣接する。マーク２０は外面１１から露出する。外面１１とマーク２０との色が互いに異なるため、識別されやすい。しかし、外周縁は外面より低くてもよい。
【００２１】
本発明に係るマーク付きリム１の作製プロセスは、型内面２Ａを備える金型２を用意するステップと、マーク２０がリム本体１０の外面１１と型内面２Ａとの間に位置するように、リム本体１０とマーク２０とを金型２に入れるステップと、マーク２０とリム本体１０を結合するステップと、を含む。これにより、リム本体１０にマーク２０を迅速で簡単に結合することが可能である。
【００２２】
リム１の作製プロセスにおいて、リム本体１０又は型内面２Ａにマーク２０を予め貼り付けてもよい。金型２において、マーク２０の外周縁２１を型内面２Ａに連続的に接触することが好ましい。これにより、結合材１３がマーク２０の内部に溢れることを回避することが可能であり、マーク２０の貼付け位置を安定化することが可能である。これによって、マーク２０が金型２内で力を受けて皺を発生し、又は変位することを回避することが可能である。具体的には、加熱により、マーク２０とリム本体１０を結合する。
本実施の形態では、多数の繊維１２は、リム本体１０に巻き付けられたドライ炭素糸であり、マーク２０がリム本体１０の外面１１に貼り付けられており、リム本体１０を金型２に入れた後、結合材１３を注入して、加熱加圧することにより、リム本体１０を固化して成形すると同時に、マーク２０を結合する。これにより、完成品を直接得ることが可能であり、ラベルを別に貼り付けることが必要なくなる。
また、多数の繊維１２は、例えば結合材１３に予めに浸入された繊維材でもよい。これによって、金型２でリム本体１０を加熱して成形する際、同じように、マーク２０を結合することが可能であり、加工のプロセスを簡単化することが可能である。
【００２３】
特に、前記マークは、接着剤層が設けられているステッカーでもいいし、接着剤層が設けられておらず、前記結合材により前記リム本体に貼り付けられてもよい。前記マークは、前記型内面に設けられているマーク構造で、前記リム本体の外面と接触することにより、粗さや色が異なる。
【００２４】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００２５】
１  リム
２  金型
２Ａ  型内面
１０  リム本体
１１  外面
１２  多数の繊維
１３  結合材
２０  マーク
２１  外周縁
【図１】
2020026246.tif 000003
【図２】
2020026246.tif 000004
【図３】
2020026246.tif 000005
【図４】
2020026246.tif 000006
【図５】
2020026246.tif 000007
【図６】
2020026246.tif 000008
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
外面が多数の繊維と、多数の繊維を結合する熱硬化性の結合材とにより覆われたリム本体と、
マークであって、前記リム本体の外面の一部分に非環状に嵌め込まれ、前記リム本体に隣接する外周縁を備えたマークとを備え、
前記マークは外周縁がリム本体の外面から突出しない厚さ有するステッカーであり、
前記リム本体の外面の一部分に前記マークの外周縁がリム本体を覆った多数の繊維と、多数の繊維を結合する熱硬化性の結合材とに囲まれて設けられていることを特徴とする、
マーク付きリム。
【請求項２】
前記結合材は、前記多数の繊維を覆い、前記外面を有することを特徴とする、請求項１に記載のマーク付きリム。
【請求項３】
前記マークの外周縁と前記リム本体の外面とは、高さが同じであり、互いに隣接することを特徴とする、請求項１に記載のマーク付きリム。
【請求項４】
前記マークの露出面と前記リム本体の外面とは、高さが同じであり、互いに隣接することを特徴とする、請求項１に記載のマーク付きリム。
【請求項５】
前記マークは前記リム本体の外面から露出することを特徴とする、請求項１に記載のマーク付きリム。
【請求項６】
前記リム本体の外面と前記マークとの色は互いに異なることを特徴とする、請求項１に記載のマーク付きリム。
【請求項７】
請求項１から６の何れかの１項に記載のマーク付きリムに適用され、
型内面を備える金型を用意するステップと、
前記マークが前記リム本体の外面と前記型内面との間に位置するように、前記リム本体と前記マークとを前記金型に入れるステップと、
前記金型内に結合材を注入して前記マークと前記リム本体を加熱及び加圧によりリム本体の外面を成形して固化すると同時に、マークをリム本体の外面の一部分に嵌め込んで結合するステップと、を含むことを特徴とする、
作製プロセス。
【請求項８】
前記マークは、前記リム本体または前記型内面に貼り付けられていることを特徴とする、請求項７に記載の作製プロセス。
【請求項９】
前記マークの外周縁は、前記型内面に連続的に貼り付けられていることを特徴とする、請求項７に記載の作製プロセス。
【手続補正２】
【補正対象書類名】明細書
【補正対象項目名】０００７
【補正方法】変更
【補正の内容】
【０００７】
本発明のマーク付きリムは、マークの露出面とリム本体の外面とは、高さが同じであり、互いに隣接することを特徴とする。
【手続補正３】
【補正対象書類名】明細書
【補正対象項目名】００２０
【補正方法】変更
【補正の内容】
【００２０】
マーク２０の外周縁２１と外面１１とは、高さが同じであり、互いに隣接する。これにより、マーク２０が引かれて変形し、又は脱落することを回避することが可能である。本実施の形態では、マーク２０の露出面と前記リム本体１０のと外面１１とは、高さが同じであり、互いに隣接する。マーク２０は外面１１から露出する。外面１１とマーク２０との色が互いに異なるため、識別されやすい。しかし、マーク２０の外周縁はリム本体１０の外面１１より低くてもよい。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
外面が多数の繊維と、多数の繊維を結合する熱硬化性の樹脂からなる結合材とにより覆われたリム本体と、
マークであって、前記リム本体の外面の一部分に非環状に嵌め込まれ、前記リム本体に隣接する外周縁を備えたマークとを備え、
前記マークは外周縁がリム本体の外面から突出しない厚さを有するステッカーであり、
前記リム本体の外面の一部分に前記マークの外周縁がリム本体を覆った多数の繊維と、多数の繊維を結合する熱硬化性の結合材とに囲まれて設けられ、前記リム本体の溶解した樹脂により前記マークの外周縁が連続的に環状に取り囲まれて貼り付けられていることを特徴とする、
マーク付きリム。
【請求項２】
前記結合材は、前記多数の繊維を覆い、前記外面を有することを特徴とする、請求項１に記載のマーク付きリム。
【請求項３】
前記マークの外周縁と前記リム本体の外面とは、高さが同じであり、互いに隣接することを特徴とする、請求項１に記載のマーク付きリム。
【請求項４】
前記マークの露出面と前記リム本体の外面とは、高さが同じであり、互いに隣接することを特徴とする、請求項１に記載のマーク付きリム。
【請求項５】
前記マークは前記リム本体の外面から露出することを特徴とする、請求項１に記載のマーク付きリム。
【請求項６】
前記リム本体の外面と前記マークとの色は互いに異なることを特徴とする、請求項１に記載のマーク付きリム。
【請求項７】
請求項１から６の何れかの１項に記載のマーク付きリムに適用され、
型内面を備える金型を用意するステップと、
前記マークが前記リム本体の外面と前記型内面との間に位置するように、前記リム本体と前記マークとを前記金型に入れるステップと、
前記金型内に熱硬化性の樹脂からなる結合材を注入して前記マークと前記リム本体を加熱及び加圧によりリム本体の外面を成形して固化すると同時に、マークをリム本体の外面の一部分に嵌め込んで結合するステップと、を含み、
前記マークをリム本体の外面に結合するステップは、前記リム本体の溶解した樹脂により前記マークの外周縁を連続的に環状に取り囲んで貼り付けることを特徴とする、
作製プロセス。
【請求項８】
前記マークは、前記リム本体または前記型内面に貼り付けられていることを特徴とする、請求項７に記載の作製プロセス。
【請求項９】
前記マークの外周縁は、前記型内面に連続的に貼り付けられていることを特徴とする、請求項７に記載の作製プロセス。